(57)【要約】【課題】捕獲した虫を逃がさないようにすることができるとともに、捕獲した虫を衛生的に処分することができる捕虫器を提供する。【解決手段】捕虫器１は、両側端面２ｃ，２ｄが開口された中空状のパイプ部材２と、パイプ部材２の内部２ｂに挿通されるワイヤ３と、を備える。ワイヤ３は、パイプ部材２の内部２ｂに移動自在に挿通されるワイヤ本体３ａと、ワイヤ本体３ａの一端部３ａ１に設けられた使い捨て袋の開口部が着脱自在に装着される環状部３ｂと、ワイヤ本体３ａの他端部３ａ２に設けられた環状部３ｂの環の大きさを変更して使い捨て袋の開口部を開閉する操作部３ｃと、環状部３ｂの一端部３ｂ１に設けられ、パイプ部材２の内部２ｂに固定される固定部３ｄと、を有する。【選択図】図１
2018064535.tif 000002
【特許請求の範囲】
【請求項１】
両側端面が開口された中空状のパイプ部材と、該パイプ部材に挿通されるワイヤと、を備え、
前記ワイヤは、
前記パイプ部材内に移動自在に挿通されるワイヤ本体と、
前記ワイヤ本体の一端部に設けられた使い捨て袋の開口部が着脱自在に装着される環状部と、
前記ワイヤ本体の他端部に設けられた前記環状部の環の大きさを変更して前記使い捨て袋の開口部を開閉する操作部と、を有し、
前記環状部は、前記パイプ部材の一側端面から突出し、
前記操作部は、前記パイプ部材の他側端面から突出してなる捕虫器。
【請求項２】
前記ワイヤは、前記環状部の一端部に設けられ、前記パイプ部材内に固定される固定部をさらに有してなる請求項１に記載の捕虫器。
【請求項３】
前記固定部を前記パイプ部材内に固定するブッシュ部材をさらに備えてなる請求項２に記載の捕虫器。
【発明の詳細な説明】
【技術分野】
【０００１】
本発明は、屋内等に侵入した虫を捕獲する捕虫器に関する。
【背景技術】
【０００２】
従来の捕虫器は、例えば、屋内に侵入した虫を捕獲するものであって、棒状の柄と、柄の先端部に固定される枠と、枠に開口部が固定される有底袋状の網と、網の中間部分を開閉する紐と、を備えるものが知られている（特許文献１参照）。この捕虫器は、柄を把持し、虫の上に網の開口部を被せて、虫を網の内部に導入して捕獲し、捕獲した虫が網の底部に移動したときに、紐を引っ張ることによって、網の中間部分を閉じ、捕獲した虫を逃がさないようにすることができるものである。
【先行技術文献】
【特許文献】
【０００３】
【特許文献１】特開２００９−２０１３９１号公報
【発明の概要】
【発明が解決しようとする課題】
【０００４】
しかしながら、上記のような捕虫器では、捕獲した虫を手で取り出して処分することとなるため、捕獲した虫を手で取り出す際、紐を元の状態に戻して網の中間部分を開いたとき、捕獲した虫を誤って逃がしてしまうことがあった。また、このような捕虫器では、虫を直接手で触れることとなるため、非常に不衛生であるといった問題があった。
【０００５】
そこで、本発明は、上述の問題に鑑み、捕獲した虫を逃がさないようにすることができるとともに、捕獲した虫を衛生的に処分することができる捕虫器を提供することを目的としている。
【課題を解決するための手段】
【０００６】
上記目的を達成するための手段を図面の参照符号を付して示せば、請求項１の発明に係る捕虫器１は、両側端面２ｃ，２ｄが開口された中空状のパイプ部材２と、該パイプ部材２に挿通されるワイヤ３と、を備え、
前記ワイヤ３は、
前記パイプ部材２内（内部２ｂ）に移動自在に挿通されるワイヤ本体３ａと、
前記ワイヤ本体３ａの一端部３ａ１に設けられた使い捨て袋４の開口部４ａが着脱自在に装着される環状部３ｂと、
前記ワイヤ本体３ａの他端部３ａ２に設けられた前記環状部３ｂの環の大きさを変更して前記使い捨て袋４の開口部４ａを開閉する操作部３ｃと、を有し、
前記環状部３ｂは、前記パイプ部材２の一側端面２ｃから突出し、
前記操作部３ｃは、前記パイプ部材２の他側端面２ｄから突出してなることを特徴としている。
【０００７】
請求項２の発明は、上記請求項１に記載の捕虫器１において、前記ワイヤ３は、前記環状部３ｂの一端部３ｂ１に設けられ、前記パイプ部材２内（内部２ｂ）に固定される固定部３ｄをさらに有してなることを特徴としている。
【０００８】
請求項３の発明は、上記請求項２に記載の捕虫器１において、前記固定部３ｄを前記パイプ部材２内（内部２ｂ）に固定するブッシュ部材５をさらに備えてなることを特徴としている。
【発明の効果】
【０００９】
以下に、本発明の効果について、図面の参照符号を付して説明する。請求項１の発明に係る捕虫器１は、ワイヤ３が、環状部３ｂの環の大きさを変更して使い捨て袋４の開口部４ａを開閉する操作部３ｃを有するから、パイプ部材２を把持し、虫Ｐの上に使い捨て袋４の開口部４ａを被せて、虫Ｐを使い捨て袋４の内部に導入して捕獲した後に、操作部３ｃによって、環状部３ｂの環の大きさを小さくして使い捨て袋４の開口部４ａを閉じることができる。これにより、捕獲した虫Ｐを逃がさないようにすることができる。さらに、本発明によれば、ワイヤ３が、使い捨て袋４の開口部４ａが着脱自在に装着される環状部３ｂを有するから、虫Ｐを使い捨て袋４の内部に導入して捕獲した後に、操作部３ｃにより使い捨て袋４の開口部４ａを閉じた状態で、使い捨て袋４の中間部４ｃを結んで、使い捨て袋４を環状部３ｂから取り外し、虫Ｐが捕獲された使い捨て袋４を処分するようにすれば、虫Ｐを直接手で触れることなく、捕獲した虫Ｐを処分することができる。これにより、捕獲した虫Ｐを衛生的に処分することができる。
【００１０】
請求項２の発明によれば、ワイヤ３が、環状部３ｂの一端部３ｂ１に設けられ、パイプ部材２内（内部２ｂ）に固定される固定部３ｄをさらに有するから、固定部３ｄによって、ワイヤ３がパイプ部材２から離脱する事態を低減させることができる。
【００１１】
請求項３の発明によれば、捕虫器１が、固定部３ｄをパイプ部材２内（内部２ｂ）に固定するブッシュ部材５をさらに備えるから、ブッシュ部材５が固定部３ｄをパイプ部材２内（内部２ｂ）に固定することによって、より強固に固定部３ｄをパイプ部材２の内部２ｂに固定することができ、もって、ワイヤ３がパイプ部材２から離脱する事態をより低減させることができる。
【図面の簡単な説明】
【００１２】
【図１】本発明の一実施形態に係る捕虫器のワイヤの操作部に固定されたリング部材を押し込むことによって、ワイヤの環状部の環の大きさを大きくした状態を例示する断面図である。
【図２】同実施形態に係る捕虫器のリング部材を引っ張ることによって、環状部の環の大きさを小さくした状態を例示する断面図である。
【図３】同実施形態に係る捕虫器のワイヤのワイヤ本体を最大限引っ張ったときのワイヤの固定部の周辺を拡大して例示する断面図である。
【図４】同実施形態に係る捕虫器のワイヤの操作部を最大限押し込んだときのワイヤの操作部の周辺を拡大して例示する断面図である。
【図５】同実施形態に係る捕虫器の環状部に取り付けた使い捨て袋の開口部を開いた状態を例示し、（ａ）は、捕虫器の全体を例示する斜視図であり、（ｂ）は、（ａ）に示す破線部分の拡大図である。
【図６】同実施形態に係る捕虫器の環状部に取り付けた使い捨て袋の開口部を閉じた状態を例示し、（ａ）は、捕虫器の全体を例示する斜視図であり、（ｂ）は、（ａ）に示す破線部分の拡大図である。
【発明を実施するための形態】
【００１３】
以下に、本発明に係る捕虫器１の一実施形態について、図面を参照して具体的に説明する。なお、以下の説明において、上下左右の方向を示す場合は、図示正面から見た場合の上下左右をいうものとする。
【００１４】
捕虫器１は、図５及び図６に示すように、ポリ袋、ビニール袋等の使い捨て袋４を取り付けて使用するものであって、屋内等に侵入した虫Ｐを捕獲するものである。なお、虫Ｐは、屋内等に侵入した処分を要する害虫であって、本実施形態では、昆虫を例示している。
【００１５】
捕虫器１は、図１及び図２に示すように、両側端面２ｃ，２ｄが開口された中空状のパイプ部材２と、パイプ部材２の内部２ｂに挿通されるワイヤ３と、ワイヤ３の固定部３ｄをパイプ部材２の内部２ｂに固定するとともに、ワイヤ３のワイヤ本体３ａが挿通されるブッシュ部材５と、ワイヤ３の環状部３ｂに移動自在に挿通され、環状部３ｂの全部がパイプ部材２の内部２ｂに引っ張られないようにするストッパ部材６ａと、ワイヤ３の操作部３ｃに挿通して圧着固定され、操作部３ｃの全部がパイプ部材２の内部２ｂに押し込まれないようにするストッパ部材６ｂと、図５及び図６に示すように、使い捨て袋４の折返部４ｂの一端部４ｂ１をパイプ部材２の一側端面２ｃ側の外周部２ｅに固定する結束部材７と、図１及び図２に示すように、パイプ部材２の他側端面２ｄ側の外周部２ｆに装着固定され、パイプ部材２の他側端面２ｄを閉塞するキャップ部材８と、操作部３ｃに固定されるリング部材９と、を備える。
【００１６】
パイプ部材２は、図５に示すように、長尺の円筒部材（丸パイプ）であって、図１に示すように、中空状のパイプ本体２ａを有し、そのパイプ本体２ａの一側端面２ｃ（図示左側）と、パイプ本体２ａの他側端面２ｄ（図示右側）は、開口されている。なお、パイプ本体２ａは、アルミニウム等の金属製の円筒部材の外周面にポリ塩化ビニル（ＰＶＣ）、ポリエチレン（ＰＥ）等の合成樹脂をコーティング等したもので形成されている。
【００１７】
ワイヤ３は、可撓性を有する長尺の線材であって、例えば、ステンレス製のワイヤロープで形成され、図１及び図２に示すように、パイプ部材２の内部２ｂに移動自在（図示左右方向）に挿通されるワイヤ本体３ａと、ワイヤ本体３ａの一端部３ａ１に設けられた環状部３ｂと、ワイヤ本体３ａの他端部３ａ２に設けられた操作部３ｃと、環状部３ｂの一端部３ｂ１に設けられ、パイプ部材２の内部２ｂに固定される固定部３ｄと、を有する。なお、本実施形態では、操作部３ｃとワイヤ本体３ａの他端部３ａ２とが一体的に連結され、ワイヤ本体３ａの一端部３ａ１と環状部３ｂの他端部３ｂ２とが一体的に連結され、環状部３ｂの一端部３ｂ１と固定部３ｄとが一体的に連結されている。すなわち、ワイヤ３は、操作部３ｃ、ワイヤ本体３ａ、環状部３ｂ及び固定部３ｄが一体形成された１本の線材となっている。
【００１８】
ワイヤ本体３ａは、図１及び図２に示すように、パイプ部材２の内部２ｂの中央部において左右方向に延びる直線状の部分であって、操作部３ｃに固定されたリング部材９を図１の押込方向Ａ（図１の左方向）に押し込むことによって、押込方向Ａに移動することができるとともに、リング部材９を図２の引張方向Ｃ（図２の右方向）に引っ張ることによって、引張方向Ｃに移動することができるものである。なお、ワイヤ本体３ａの一端部３ａ１は、パイプ部材２の一側端面２ｃ側に圧入接着固定されているブッシュ部材５の貫通孔５ｂに挿通され、ワイヤ本体３ａの他端部３ａ２は、パイプ部材２の他側端面２ｄを閉塞するキャップ部材８の貫通孔８ａに挿通されている。
【００１９】
環状部３ｂは、図１及び図２に示すように、パイプ部材２の一側端面２ｃから突出しているワイヤ本体３ａの一端部３ａ１に設けられている環状の部分であって、リング部材９を図１の押込方向Ａに押し込むことによって、ワイヤ本体３ａが押込方向Ａに移動することにより、環状部３ｂが拡径する方向、すなわち、図１の拡径方向Ｂ（時計回り方向）に移動して環の大きさを大きくすることができる。そしてさらに、リング部材９を図２の引張方向Ｃに引っ張ることによって、ワイヤ本体３ａが引張方向Ｃに移動することにより、環状部３ｂが縮径する方向、すなわち、図２の縮径方向Ｄ（反時計回り方向）に移動して環の大きさを小さくすることができる。
【００２０】
ところで、この環状部３ｂは、図５及び図６に示すように、環の全周にわたって使い捨て袋４の開口部４ａが着脱自在に装着できるようになっている。この使い捨て袋４は、ポリエチレン（ＰＥ）、ポリプロピレン（ＰＰ）等の合成樹脂からなるポリ袋や、ポリ塩化ビニル（ＰＶＣ）等の合成樹脂からなるビニール袋等のゴミ袋に使用される袋であって、有底で上面が開口された開口部４ａと、この開口部４ａを環状部３ｂの環に挿通して環状部３ｂの環の外側に折り返すことによって環状部３ｂの環の全周にわたって装着される折返部４ｂとを有している。
【００２１】
かくして、上記のような使い捨て袋４が装着された環状部３ｂは、図５（ａ）に示すように、リング部材９を押込方向Ａに押し込むことによって、拡径方向Ｂに移動し環の大きさを大きくすることができるため、それに伴い、使い捨て袋４の開口部４ａも拡径する方向Ｂ１（図５（ｂ）も参照）に移動し、使い捨て袋４の開口部４ａを開いた状態とすることができる。一方、図６（ａ）に示すように、リング部材９を引張方向Ｃに引っ張ることによって、上記環状部３ｂが縮径方向Ｄに移動し環の大きさを小さくすることができるため、それに伴い、使い捨て袋４の開口部４ａを縮径する方向Ｄ１（図６（ｂ）も参照）に移動し、使い捨て袋４の開口部４ａを閉じた状態とすることができる。
【００２２】
操作部３ｃは、図１及び図２に示すように、パイプ部材２の他側端面２ｄから突出しているワイヤ本体３ａの他端部３ａ２に設けられている部分であって、先端部にリング部材９が固定されており、図１に示すように、リング部材９を押込方向Ａに押し込むことによって、操作部３ｃ及びワイヤ本体３ａが押込方向Ａに移動することができるとともに、図２に示すように、リング部材９を引張方向Ｃに引っ張ることによって、操作部３ｃ及びワイヤ本体３ａが引張方向Ｃに移動することができる。
【００２３】
固定部３ｄは、図１及び図２に示すように、パイプ部材２の一側端面２ｃ側に圧入接着固定された後述するブッシュ部材５のブッシュ本体５ａの外周部と、パイプ部材２の内部２ｂの内壁部と、で挟持され、もって、パイプ部材２の内部２ｂに固定される直線状の部分である。しかして、このように、固定部３ｄをパイプ部材２の内部２ｂに固定することによって、ワイヤ３がパイプ部材２から離脱する事態を低減させることができる。なお、本実施形態においては、ブッシュ部材５のブッシュ本体５ａの外周部と、パイプ部材２の内部２ｂの内壁部とで挟持することによって、固定部３ｄをパイプ部材２の内部２ｂに固定する例を示したが、それに限らず、固定部３ｄをパイプ部材２の内部２ｂに固定することができるものであればどのような方法でも良い。しかしながら、固定部３ｄをパイプ部材２の内部２ｂに固定する方法としては、ブッシュ部材５のブッシュ本体５ａの外周部と、パイプ部材２の内部２ｂの内壁部とで挟持することによって、固定部３ｄをパイプ部材２の内部２ｂに固定した方が好ましい。固定部３ｄが強固にパイプ部材２の内部２ｂに固定されることとなり、もって、ワイヤ３がパイプ部材２から離脱する事態をより低減させることができるためである。
【００２４】
なお、操作部３ｃ及びワイヤ本体３ａの押込方向Ａへの移動及び引張方向Ｃへの移動を滑らかとするために、操作部３ｃ及び／又はワイヤ本体３ａに真鍮、鉛等の金属部材を設ける構成にしてもよい。この場合には、金属部材によって、操作部３ｃ及びワイヤ本体３ａの押込方向Ａへの移動及び引張方向Ｃへの移動が滑らかとなるから、環状部３ｂの環の大きさを引っ掛かることなく変更することができ、もって、使い捨て袋４の開口部４ａの開閉をスムーズに行うことができる。
【００２５】
ブッシュ部材５は、図１及び図２に示すように、パイプ部材２の一側端面２ｃの開口からパイプ部材２の内部２ｂに圧入接着固定されるウレタンゴム（Ｕ、ポリウレタン（ＰＵ））等の弾性ゴムからなる円柱状部材であって、ブッシュ部材５の外径が、パイプ部材２の内部２ｂの内径と同一となるように形成されている。
【００２６】
そして、上記のように形成されるブッシュ部材５は、パイプ部材２の内部２ｂに圧入接着固定されるブッシュ本体５ａと、ワイヤ３のワイヤ本体３ａが挿通され、ブッシュ本体５ａの中央部を左右方向に貫通する貫通孔５ｂと、を有している。ブッシュ本体５ａは、ワイヤ３の固定部３ｄがパイプ部材２の内部２ｂの内壁部に接するように挿入された状態で、パイプ部材２の内部２ｂに圧入接着固定されている。このため、固定部３ｄが、パイプ部材２の内部２ｂの内壁部と、ブッシュ本体５ａの外周部と、で挟持されることとなるから、固定部３ｄをパイプ部材２の内部２ｂに固定することができる。また、ブッシュ部材５の貫通孔５ｂの内径は、ワイヤ３のワイヤ本体３ａの外径よりも大きくなるように形成されており、これにより、貫通孔５ｂに挿通されたワイヤ本体３ａの移動が阻害されないようになっている。しかして、本実施形態によれば、このようなブッシュ部材５によって固定部３ｄをパイプ部材２の内部２ｂに固定することによって、固定部３ｄが強固にパイプ部材２の内部２ｂに固定されることとなるから、ワイヤ３がパイプ部材２から離脱する事態をより低減させることができる。
【００２７】
ストッパ部材６ａは、図１及び図２に示すように、貫通孔６ａ１を有するビーズ等の合成樹脂製の球状部材であって、貫通孔６ａ１にワイヤ３の環状部３ｂが移動自在に挿通されている。このストッパ部材６ａは、図３に示すように、ワイヤ３のワイヤ本体３ａを引張方向Ｃに最大限引っ張ったとき、ブッシュ部材５の一側端面５ｃ（図示左側の端面）に接触することによって、環状部３ｂの全部がパイプ部材２の内部２ｂに引っ張り込まれないようにしている。しかして、本実施形態によれば、ストッパ部材６ａによって、環状部３ｂの全部がパイプ部材２の内部２ｂに引っ張り込まれることがないから、環状部３ｂの全部がパイプ部材２の内部２ｂに引っ張り込まれることにより、環状部３ｂの径を、拡径しようとした際、なかなか拡径することができない等の作業効率が低下してしまうという事態を低減させることができる。
【００２８】
ストッパ部材６ｂは、図１及び図２に示すように、ワイヤ３の操作部３ｃに挿通して圧着固定されるクランプ管等の金属製の圧着部材であって、図４に示すように、操作部３ｃに挿通して圧着固定したときの厚さがキャップ部材８の貫通孔８ａの内径よりも大きくなっている。ストッパ部材６ｂは、操作部３ｃを押込方向Ａに最大限押し込んだとき、キャップ部材８の端面８ｂに接触することによって、操作部３ｃの全部がパイプ部材２の内部２ｂに押し込まれないようにしている。しかして、本実施形態によれば、ストッパ部材６ｂによって、操作部３ｃの全部がパイプ部材２の内部２ｂに押し込まれないようにしているから、操作部３ｃに固定されたリング部材９がキャップ部材８の端面８ｂに接触することがなくなり、もって、リング部材９及びキャップ部材８の破損を低減させることができる。
【００２９】
結束部材７は、図５及び図６に示すように、使い捨て袋４の折返部４ｂの一端部４ｂ１を、パイプ部材２の一側端面２ｃ側の外周部２ｅに固定する面ファスナ等の固定部材であって、使い捨て袋４をパイプ部材２に着脱自在に固定できるものである。より具体的に説明すると、この結束部材７は、折返部４ｂの一端部４ｂ１をパイプ部材２の一側端面２ｃ側の外周部２ｅに装着した状態で、折返部４ｂの一端部４ｂ１の上から巻回して、面ファスナのフック面をループ面に係止することによって、パイプ部材２の一側端面２ｃ側の外周部２ｅに固定するものである。これにより、使い捨て袋４をパイプ部材２に着脱自在に容易に固定することができる。
【００３０】
キャップ部材８は、図１及び図２に示すように、パイプ部材２の他側端面２ｄ側の外周部２ｆに装着固定され、パイプ部材２の他側端面２ｄを閉塞する有底筒状のエンドキャップであって、例えば、ポリエチレン（ＰＥ）、ポリプロピレン（ＰＰ）等の合成樹脂からなるものである。このキャップ部材８は、図４に示すように、底部の中央部を左右方向に貫通する貫通孔８ａを有しており、貫通孔８ａにワイヤ本体３ａの他端部３ａ２が挿通される。また、キャップ部材８の端面８ｂ（底部の外側面）は、ストッパ部材６ｂが接触可能な平坦面をなしている。しかして、本実施形態によれば、キャップ部材８によって、操作部３ｃを押込方向Ａに最大限押し込んだとき、ストッパ部材６ｂがキャップ部材８の端面８ｂに接触するから、操作部３ｃに固定されたリング部材９がキャップ部材８の端面８ｂに接触することがなくなり、もって、リング部材９及びキャップ部材８の破損を低減することができる。
【００３１】
リング部材９は、図１及び図２に示すように、ワイヤ３の操作部３ｃの先端部に取り付ける取付部９ａを有するポリカーボネート（ＰＣ）、ポリ塩化ビニル（ＰＶＣ）等の合成樹脂製の環状部材であって、環に手指を挿入して操作するものである。このリング部材９は、図１に示すように、押込方向Ａに押し込むことができるとともに、図２に示すように、引張方向Ｃに引っ張ることができる。なお、本実施形態では、リング部材９を設けていたが、リング部材９を設けない構成であってもよく、あるいは、リング部材９に代えて、棒状部材、球状部材等の手指で把持して操作する把持部材を設ける構成であってもよい。
【００３２】
次に、上記の捕虫器１の使用方法について詳細に説明する。
【００３３】
まず、図１に示すように、リング部材９を押込方向Ａに押し込むことによって、環状部３ｂを拡径方向Ｂに移動させて環の大きさを大きくする。次いで、図５（特に、図５（ｂ）参照）に示すように、使い捨て袋４の開口部４ａを環状部３ｂに装着し、折返部４ｂの一端部４ｂ１をパイプ部材２の一側端面２ｃ側の外周部２ｅに装着した状態で、結束部材７を折返部４ｂの一端部４ｂ１の上から巻回して、使い捨て袋４をパイプ部材２の一側端面２ｃ側の外周部２ｅに固定する。これにより、使い捨て袋４の開口部４ａが拡径方向Ｂ１に移動し、使い捨て袋４の開口部４ａが開いた状態となる。次いで、この状態で、パイプ部材２を把持し、虫Ｐの上に使い捨て袋４の開口部４ａを被せて、虫Ｐを使い捨て袋４の内部に導入して捕獲する。次いで、図６（ａ）に示すように、リング部材９を引張方向Ｃに引っ張ることによって、図６（ａ），（ｂ）に示すように、環状部３ｂを縮径方向Ｄに移動させて環状部３ｂの環の大きさを小さくして使い捨て袋４の開口部４ａを縮径方向Ｄ１に移動させ、もって、使い捨て袋４の開口部４ａを閉じる。そして、この状態で、使い捨て袋４の中間部４ｃを結んで、使い使い捨て袋４を環状部３ｂから取り外すようにすれば、虫Ｐに直接触れることなく、虫Ｐが捕獲された使い捨て袋４を処分することができる。
【００３４】
しかして、以上説明した本実施形態によれば、ワイヤ３が、環状部３ｂの環の大きさを変更して使い捨て袋４の開口部４ａを開閉する操作部３ｃを有するから、パイプ部材２を把持し、虫Ｐの上に使い捨て袋４の開口部４ａを被せて、虫Ｐを使い捨て袋４の内部に導入して捕獲した後に、操作部３ｃに固定されたリング部材９を引っ張ることによって、環状部３ｂの環の大きさを小さくして使い捨て袋４の開口部４ａを閉じることができる。これにより、捕獲した虫Ｐを逃がさないようにすることができる。さらに、本実施形態によれば、ワイヤ３が、使い捨て袋４の開口部４ａが着脱自在に装着される環状部３ｂを有するから、虫Ｐを使い捨て袋４の内部に導入して捕獲した後に、操作部３ｃに固定されたリング部材９を引っ張ることにより使い捨て袋４の開口部４ａを閉じた状態で、使い捨て袋４の中間部４ｃを結んで、使い捨て袋４を環状部３ｂから取り外し、虫Ｐが捕獲された使い捨て袋４を処分することによって、虫Ｐを直接手で触れることなく、捕獲した虫Ｐを処分することができる。これにより、虫Ｐを衛生的に処分することができる。
【符号の説明】
【００３５】
１          捕虫器
２          パイプ部材
２ａ        パイプ本体
２ｂ        内部
２ｃ        一側端面
２ｄ        他側端面
２ｅ        一側端面側の外周部
２ｆ        他側端面側の外周部
３          ワイヤ
３ａ        ワイヤ本体
３ａ１      一端部
３ａ２      他端部
３ｂ        環状部
３ｂ１      一端部
３ｂ２      他端部
３ｃ        操作部
３ｄ        固定部
４          使い捨て袋
４ａ        開口部
４ｂ        折返部
４ｂ１      一端部
４ｃ        中間部
５          ブッシュ部材
５ａ        ブッシュ本体
５ｂ        貫通孔
５ｃ        一側端面
６ａ，６ｂ  ストッパ部材
６ａ１      貫通孔
７          結束部材
８          キャップ部材
８ａ        貫通孔
８ｂ        端面
９          リング部材
９ａ        取付部
Ａ          ワイヤ本体及び操作部の押込方向
Ｂ          環状部の拡径方向
Ｂ１        開口部の拡径方向
Ｃ          ワイヤ本体及び操作部の引張方向
Ｄ          環状部の縮径方向
Ｄ１        開口部の縮径方向
Ｐ          虫
【図１】
2018064535.tif 000003
【図２】
2018064535.tif 000004
【図３】
2018064535.tif 000005
【図４】
2018064535.tif 000006
【図５】
2018064535.tif 000007
【図６】
2018064535.tif 000008